(57)【要約】  本出願の実施例にはランダムアクセスの方法及び通信デバイスが開示され、当該方法は、第１のランダムアクセスプリアンブルインデックス及び/又は第１の同期信号ブロックインデックスに従って、第１のスクランブリングシーケンスを決定するステップと、前記第１のスクランブリングシーケンスに従って、ランダムアクセス手順の第１のメッセージにおけるデータチャネルに対して第１のスクランブル／デスクランブル処理を実行するステップを含み、前記第１のスクランブル／デスクランブル処理には、前記データチャネル上の符号化された情報ビットに対して実行されるスクランブル又はデスクランブルが含まれる。本出願の実施例の方法及び通信デバイスによれば、２段階のランダムアクセス手順で第１のメッセージにおけるデータチャネルに対するスクランブル／デスクランブル処理を実現でき、ランダムアクセス手順の遅延を短縮するのに役立つ。
2021532654.tif 000002
【特許請求の範囲】
【請求項１】
第１のランダムアクセスプリアンブルインデックス及び/又は第１の同期信号ブロックインデックスに従って、第１のスクランブリングシーケンスを決定するステップと、
前記第１のスクランブリングシーケンスに従って、ランダムアクセス手順の第１のメッセージにおけるデータチャネルに対して第１のスクランブル／デスクランブル処理を実行するステップを含み、
前記第１のスクランブル／デスクランブル処理には、前記データチャネル上の符号化された情報ビットに対して実行されるスクランブル又はデスクランブルが含まれる
ことを特徴とするランダムアクセスの方法。
【請求項２】
前記第１のランダムアクセスプリアンブルインデックス及び／又は第１の同期信号ブロックインデックスに従って、第１のスクランブリングシーケンスを決定するステップは、
前記第１のランダムアクセスプリアンブルインデックス及び／又は第１の同期信号ブロックインデックスに従って、第１のランダムアクセス無線ネットワーク一時識別子（ＲＡ−ＲＮＴＩ）を生成するステップと、
前記第１のＲＡ−ＲＮＴＩに従って、前記第１のスクランブリングシーケンスを生成するステップを含む
ことを特徴とする請求項１に記載の方法。
【請求項３】
前記第１のランダムアクセスプリアンブルインデックス及び／又は第１の同期信号ブロックインデックスに従って、第１のＲＡ−ＲＮＴＩを生成するステップは、
前記第１のランダムアクセスプリアンブルインデックス及び／又は第１の同期信号ブロックインデックスとプリアンブルを送信する物理ランダムアクセスチャネル（ＰＲＡＣＨ）リソースの情報に従って、前記第１のＲＡ−ＲＮＴＩを生成するステップを含む
ことを特徴とする請求項２に記載の方法。
【請求項４】
前記ＰＲＡＣＨリソースの情報には、プリアンブルを送信するＰＲＡＣＨリソースの最初の直交周波数分割多重（ＯＦＤＭ）シンボル、プリアンブルを送信するＰＲＡＣＨリソースの最初のスロットのインデックス、プリアンブルを送信するＰＲＡＣＨリソースの周波数領域での番号、及びプリアンブルの送信に使用される上りキャリアのうちの少なくとも1つの情報が含まれる
ことを特徴とする請求項３に記載の方法。
【請求項５】
前記第１のランダムアクセスプリアンブルインデックス及び／又は第１の同期信号ブロックインデックスに従って、第１のスクランブリングシーケンスを決定するステップは、
前記第１のランダムアクセスプリアンブルインデックス、及びプリアンブルインデックスとスクランブリングシーケンスとの間のマッピング関係に従って、及び/又は、前記第１の同期信号ブロックインデックス、及び同期信号ブロックインデックスとスクランブリングシーケンスとの間のマッピング関係に従って、スクランブリングシーケンスセットから前記第１のスクランブリングシーケンスを決定するステップを含む
ことを特徴とする請求項１に記載の方法。
【請求項６】
前記第１のスクランブリングシーケンスに従って、前記データチャネルに対して前記第１のスクランブル／デスクランブル処理を実行した後、前記方法は、
前記第１のＲＡ−ＲＮＴＩに従って、前記ランダムアクセス手順での第２のメッセージをスケジュールするための制御チャネルに対して第２のスクランブル／デスクランブル処理を実行するステップをさらに含む
ことを特徴とする請求項２〜４のいずれか１項に記載の方法。
【請求項７】
前記第１のスクランブリングシーケンスに従って、前記データチャネルに対して前記第１のスクランブル／デスクランブル処理を実行した後、前記方法は、
前記第１のプリアンブルインデックス及び／又は第１の同期信号ブロックインデックスに従って第１のランダムアクセス無線ネットワーク一時識別子（ＲＡ−ＲＮＴＩ）を生成するステップと、
前記第１のＲＡ−ＲＮＴＩに従って、前記ランダムアクセス手順での第２のメッセージをスケジュールするための制御チャネルに対して第２のスクランブル／デスクランブル処理を実行するステップをさらに含む
ことを特徴とする請求項５に記載の方法。
【請求項８】
前記第２のスクランブル／デスクランブル処理は、前記制御チャネルの巡回冗長検査（ＣＲＣ）ビットに対して実行されるスクランブル又はデスクランブルを含む
ことを特徴とする請求項６又は７に記載の方法。
【請求項９】
前記方法は端末デバイスによって実行され、前記方法は、
ランダムアクセスプリアンブルセットから前記第１のランダムアクセスプリアンブルインデックスを決定するステップをさらに含む
ことを特徴とする請求項１〜８のいずれか１項に記載の方法。
【請求項１０】
前記方法はネットワークデバイスによって実行され、前記方法は、
前記第１のメッセージから前記第１のランダムアクセスプリアンブルインデックスを取得するステップをさらに含む
ことを特徴とする請求項１〜８のいずれか１項に記載の方法。
【請求項１１】
前記第１のメッセージは、前記第１のランダムアクセスプリアンブルインデックスによって識別されるプリアンブルシーケンスをさらに含み、前記プリアンブルシーケンスと前記データチャネルとの間にマッピング関係がある
ことを特徴とする請求項１〜１０のいずれか１項に記載の方法。
【請求項１２】
前記ランダムアクセス手順は、２段階のランダムアクセス手順である
ことを特徴とする請求項１〜１１のいずれか１項に記載の方法。
【請求項１３】
第１のランダムアクセスプリアンブルインデックス及び/又は第１の同期信号ブロックインデックスに従って、第１のスクランブリングシーケンスを決定し、前記第１のスクランブリングシーケンスに従って、ランダムアクセス手順の第１のメッセージにおけるデータチャネルに対して第１のスクランブル／デスクランブル処理を実行するように構成される処理ユニットを備え、
前記第１のスクランブル／デスクランブル処理には、前記データチャネル上の符号化された情報ビットに対して実行されるスクランブル又はデスクランブルが含まれる
ことを特徴とする通信デバイス。
【請求項１４】
前記処理ユニットは、前記第１のランダムアクセスプリアンブルインデックス及び／又は第１の同期信号ブロックインデックスに従って、第１のランダムアクセス無線ネットワーク一時識別子（ＲＡ−ＲＮＴＩ）を生成し、前記第１のＲＡ−ＲＮＴＩに従って、前記第１のスクランブリングシーケンスを生成するように構成される
ことを特徴とする請求項１３に記載の通信デバイス。
【請求項１５】
前記処理ユニットが前記第１のランダムアクセスプリアンブルインデックス及び／又は第１の同期信号ブロックインデックスに従って、第１のＲＡ−ＲＮＴＩを生成することは、
前記第１のランダムアクセスプリアンブルインデックス及び／又は第１の同期信号ブロックインデックスとプリアンブルを送信する物理ランダムアクセスチャネル（ＰＲＡＣＨ）リソースの情報に従って、前記第１のＲＡ−ＲＮＴＩを生成することを含む
ことを特徴とする請求項１４に記載の通信デバイス。
【請求項１６】
前記ＰＲＡＣＨリソースの情報には、プリアンブルを送信するＰＲＡＣＨリソースの最初の直交周波数分割多重（ＯＦＤＭ）シンボル、プリアンブルを送信するＰＲＡＣＨリソースの最初のスロットのインデックス、プリアンブルを送信するＰＲＡＣＨリソースの周波数領域での番号、及びプリアンブルの送信に使用される上りキャリアのうちの少なくとも1つの情報が含まれる
ことを特徴とする請求項１５に記載の通信デバイス。
【請求項１７】
前記処理ユニットは、前記第１のランダムアクセスプリアンブルインデックス、及びプリアンブルインデックスとスクランブリングシーケンスとの間のマッピング関係に従って、及び/又は、前記第１の同期信号ブロックインデックス、及び同期信号ブロックインデックスとスクランブリングシーケンスとの間のマッピング関係に従って、スクランブリングシーケンスセットから前記第１のスクランブリングシーケンスを決定するように構成される
ことを特徴とする請求項１３に記載の通信デバイス。
【請求項１８】
前記処理ユニットは、前記第１のＲＡ−ＲＮＴＩに従って、前記ランダムアクセス手順での第２のメッセージをスケジュールするための制御チャネルに対して第２のスクランブル／デスクランブル処理を実行するように構成される
ことを特徴とする請求項１４〜１６のいずれか１項に記載の通信デバイス。
【請求項１９】
前記処理ユニットは、前記第１のプリアンブルインデックス及び／又は第１の同期信号ブロックインデックスに従って第１のランダムアクセス無線ネットワーク一時識別子（ＲＡ−ＲＮＴＩ）を生成し、前記第１のＲＡ−ＲＮＴＩに従って、前記ランダムアクセス手順での第２のメッセージをスケジュールするための制御チャネルに対して第２のスクランブル／デスクランブル処理を実行するように構成される
ことを特徴とする請求項１８に記載の通信デバイス。
【請求項２０】
前記第２のスクランブル／デスクランブル処理は、前記制御チャネルの巡回冗長検査（ＣＲＣ）ビットに対して実行されるスクランブル又はデスクランブルを含む
ことを特徴とする請求項１８又は１９に記載の通信デバイス。
【請求項２１】
前記通信デバイスは端末デバイスであり、
前記処理ユニットは、ランダムアクセスプリアンブルセットから前記第１のランダムアクセスプリアンブルインデックスを決定するように構成される
ことを特徴とする請求項１３〜２０のいずれか１項に記載の通信デバイス。
【請求項２２】
前記通信デバイスはネットワークデバイスであり、
前記処理ユニットは、前記第１のメッセージから前記第１のランダムアクセスプリアンブルインデックスを取得するように構成される
ことを特徴とする請求項１３〜２０のいずれか１項に記載の通信デバイス。
【請求項２３】
前記第１のメッセージは、前記第１のランダムアクセスプリアンブルインデックスによって識別されるプリアンブルシーケンスをさらに含み、前記プリアンブルシーケンスと前記データチャネルとの間にマッピング関係がある
ことを特徴とする請求項１３〜２２のいずれか１項に記載の通信デバイス。
【請求項２４】
前記ランダムアクセス手順は、２段階のランダムアクセス手順である
ことを特徴とする請求項１３〜２３のいずれか１項に記載の通信デバイス。
【請求項２５】
プロセッサ及びメモリを備え、前記メモリはコンピュータプログラムを格納し、前記プロセッサは、前記メモリに格納されたコンピュータプログラムを呼び出して実行することで、請求項１から１２のいずれか１つに記載の方法を実行する、ことを特徴とする通信デバイス。
【請求項２６】
メモリからコンピュータプログラムを呼び出して実行することで、請求項１から１２のいずれか１つに記載の方法をチップがインストールされたデバイスに実行させるプロセッサを備える、ことを特徴とするチップ。
【請求項２７】
請求項１から１２のいずれか一項に記載の方法をコンピュータに実行させるコンピュータプログラムを記憶する、ことを特徴とするコンピュータ読み取り可能な記憶媒体。
【請求項２８】
請求項１から１２のいずれか一項に記載の方法をコンピュータに実行させるコンピュータプログラム命令を含む、ことを特徴とするコンピュータプログラム製品。
【請求項２９】
請求項１から１２のいずれか一項に記載の方法をコンピュータに実行させる、ことを特徴とするコンピュータプログラム。
【発明の詳細な説明】
【関連出願の相互参照】
【０００１】
本出願は、２０１８年７月２５日に中国特許庁に提出され、出願番号が２０１８１０８２７５２３．１であり、発明の名称が「ランダムアクセスの方法及び通信機器」である中国出願の優先権を主張し、その全内容は参照により本明細書に組み込まれる。
【技術分野】
【０００２】
本出願の実施例は、通信技術分野に関し、具体的には、ランダムアクセスの方法及び通信デバイスに関する。
【背景技術】
【０００３】
セルサーチ手順を実行した後、ユーザーデバイス（User Equipment，ＵＥ）は既にセルとの下り同期を取得したため、ＵＥは下りデータを受信することができる。ただし、ＵＥは、セルとの上り同期を取得した場合にのみ上り伝送を実行することができる。ＵＥは、ランダムアクセス手順（Random Access Procedure）を介してセルとの接続を確立し、上り同期を取得する。
【０００４】
現在のランダムアクセス手順では、ＵＥは、データチャネルを送信する前に、ネットワークデバイスによって割り当てられた一時セル無線ネットワーク一時識別子（Temporary Cell Radio Network Temporary Identifier，ＴＣ−ＲＮＴＩ）を取得する必要があり、これはランダムアクセス手順の遅延を短縮するのに役立たない。
【発明の概要】
【発明が解決しようとする課題】
【０００５】
本出願の実施例は、ランダムアクセス手順の遅延を短縮するのに役立つランダムアクセスの方法及び通信デバイスを提供する。
【課題を解決するための手段】
【０００６】
第１の態様によれば、第１のランダムアクセスプリアンブルインデックス及び/又は第１の同期信号ブロックインデックスに従って、第１のスクランブリングシーケンスを決定するステップと、前記第１のスクランブリングシーケンスに従って、ランダムアクセス手順の第１のメッセージにおけるデータチャネルに対して第１のスクランブル／デスクランブル処理を実行するステップを含み、前記第１のスクランブル／デスクランブル処理には、前記データチャネル上の符号化された情報ビットに対して実行されるスクランブル又はデスクランブルが含まれるランダムアクセスの方法が提供される。
【０００７】
第２の態様によれば、上記第１の態様又はその各実現形態における方法を実行する通信デバイスを提供する。
【０００８】
具体的に、上記通信デバイスは、上記第１の態様又はその各実現形態における方法を実行するための機能モジュールを備える。
【０００９】
オプションとして、当該通信デバイスは端末デバイスであってもよく、ネットワークデバイスであってもよい。
【００１０】
第３の態様によれば、プロセッサーとメモリを含む通信デバイスが提供される。上記プロセッサは、上記メモリに格納されたコンピュータプログラムを呼び出して実行することで、上記第１の態様又はその各実現形態における方法を実行する。
【００１１】
第４の態様によれば、上記第１の態様又はその各実現形態における方法を実行するチップを提供する。
【００１２】
具体的に、上記チップは、メモリからコンピュータプログラムを呼び出して実行することで、上記第１の態様又はその各実現形態における方法を上記チップがインストールされたデバイスに実行させるプロセッサを備える。
【００１３】
第５の態様は、コンピュータ読み取り可能な記憶媒体を提供し、上記第１の態様又はその各実現形態における方法をコンピュータに実行させるコンピュータプログラムを記憶する。
【００１４】
第６の態様は、コンピュータプログラム製品を提供し、上記第１の態様又はその各実現形態における方法をコンピュータに実行させるコンピュータプログラム命令を含む。
【００１５】
第７の態様は、コンピュータプログラムを提供し、コンピュータ上で実行されるとき、上記第１の態様又はその各実現形態における方法をコンピュータに実行させる。
【００１６】
上記の解決策によれば、ランダムアクセス手順の第１のメッセージでデータチャネルを運ぶことができ、端末装置によって取得されるランダムアクセスプリアンブルインデックス及び／又は同期信号ブロックインデックスに従って生成されたスクランブリングシーケンスに基づいて、当該データチャネルに対してスクランブリングまたはデスクランブリングを実行することができる。それにより、端末デバイスは、プリアンブルシーケンスが送信された後の情報を第１のメッセージに入れて、第１のメッセージと一緒にネットワークデバイスに送信することができ、ランダムアクセス手順の遅延を短縮するのに役立つ。
【図面の簡単な説明】
【００１７】
【図１】本出願の実施例によって提供される通信システムアーキテクチャの概略図である。
【図２】ランダムアクセス手順の概略フローチャートを示す。
【図３】本出願の実施例によって提供されるランダムアクセスの方法の概略図である。
【図４】本出願の実施例によって提供される通信デバイスの概略ブロック図である。
【図５】本出願の実施例によって提供される通信デバイスの別の概略ブロック図である。
【図６】本出願の実施例によって提供されるチップの概略ブロック図である。
【図７】本出願の実施例によって提供される通信システムの概略ブロック図である。
【発明を実施するための形態】
【００１８】
以下、本出願の実施例における解決策を、本出願の実施例における図面と併せて説明するが、説明される実施例は、すべての実施例ではなく、本出願の実施例の一部であることは明らかである。本出願の実施例に基づいて、創造的な作業なしに当業者によって得られる他のすべての実施例は、いずれも本出願の保護範囲内にある。
【００１９】
本出願の実施例の解決策は、例えばグローバルモバイル通信（Global System of Mobile communication,ＧＳＭ）システム、符号分割多元接続（Code Division Multiple Access,ＣＤＭＡ）システム、広帯域符号分割多元接続（Wideband Code Division Multiple Access,ＷＣＤＭＡ）システム、汎用パケット無線サービス（General Packet Radio Service,ＧＰＲＳ）、ロングタームエボリューション（Long Term Evolution,ＬＴＥ）システム、ＬＴＥ周波数分割複信（Frequency Division Duplex,ＦＤＤ）システム、ＬＴＥ時分割複信（Time Division Duplex,ＴＤＤ）、ユニバーサル移動通信システム（Universal Mobile Telecommunication System,ＵＭＴＳ）、マイクロ波アクセス用世界的相互運用性（Worldwide Interoperability for Microwave Access,ＷｉＭＡＸ）通信システム又は５Ｇシステム等の様々な通信システムに適用することができる。
【００２０】
例示的に、本出願の実施例で適用される通信システムはネットワークデバイスを含むことができ、ネットワークデバイスは、端末デバイス（又は通信端末、端末と呼ばれる）と通信するデバイスであってもよい。ネットワークデバイスは、特定の地理的領域に通信カバレッジを提供することができ、このカバレッジ領域内の端末デバイスと通信することができる。オプションとして、このネットワークデバイスは、ＧＳＭシステム又はＣＤＭＡシステムにおける基地局（Base Transceiver Station,ＢＴＳ）であってもよく、ＷＣＤＭＡシステムにおける基地局（NodeB,ＮＢ）であってもよく、また、ＬＴＥシステムにおける進化型基地局（Evolutional Node B,ｅＮＢ又はｅＮｏｄｅＢ）、又はクラウド無線アクセスネットワーク（Cloud Radio Access Network,ＣＲＡＮ）における無線コントローラであってもよく、又はこのネットワークデバイスは、モバイル交換センター、中継局、アクセスポイント、車載デバイス、ウェアラブルデバイス、ハブ、スイッチ、ブリッジ、ルーター、５Ｇネットワークにおけるネットワーク側デバイス、又は将来進化の公衆地上移動ネットワーク（Public Land Mobile Network,ＰＬＭＮ）におけるネットワークデバイス等であってもよい。
【００２１】
本出願の実施例で適用される通信システムは、ネットワークデバイスのカバレッジ内の少なくとも１つの端末デバイスをさらに含む。ここで使用される「端末デバイス」として、ＵＥ、アクセス端末、ユーザーユニット、ユーザーステーション、モバイルステーション、移動局、リモートステーション、リモート端末、モバイルデバイス、ユーザー端末、端末、無線通信デバイス、ユーザーエージェント、又はユーザー装置を含むが、それらに限定されない。アクセス端末は、携帯電話、コードレス電話、セッション開始プロトコル（Session Initiation Protocol,ＳＩＰ）電話、ワイヤレスローカルループ（Wireless Local Loop,ＷＬＬ）ステーション、パーソナルデジタルアシスタント（Personal Digital Assistant,ＰＤＡ）、無線通信機能を備えたハンドヘルドデバイス、コンピューティングデバイス又は無線モデムに接続された他の処理デバイス、車載デバイス、ウェアラブルデバイス、将来の５Ｇネットワークにおける端末デバイス、又は将来進化の公衆地上移動ネットワーク（Public Land Mobile Network,ＰＬＭＮ）における端末デバイスなどであってよく、本発明の実施例は限定されない。
【００２２】
オプションとして、５Ｇシステム又は５Ｇネットワークは、新しい無線（New Radio, ＮＲ）システム又はＮＲネットワークと呼ばれてもよい。
【００２３】
図１は、１つのネットワークデバイス及び２つの端末デバイスを例示的に示し、オプションとして、この通信システム１００は、複数のネットワークデバイスを含んでもよく、各ネットワークデバイスは、カバレッジ内に他の数の端末デバイスを含んでもよく、本出願の実施例はこれを限定しない。
【００２４】
オプションとして、この通信システム１００は、ネットワークコントローラ、モビリティ管理エンティティ等の他のネットワークエンティティをさらに含んでもよく、本出願の実施例はこれを限定しない。
【００２５】
本出願の実施例におけるネットワーク／システムで通信機能を有するデバイスは、通信デバイスと呼ばれてよいことを理解されたい。図１に示す通信システム１００を例として、通信デバイスは、通信機能を有するネットワークデバイス１１０と端末デバイス１２０とを含むことができ、ネットワークデバイス１１０及び端末デバイス１２０は、前記の具体的なデバイスであってもよく、ここでは繰り返さない。通信デバイスは、例えば、ネットワークコントローラ、モビリティ管理エンティティなどの他のネットワークエンティティなど、通信システム１００内の他のデバイスをさらに含んでもよく、本出願の実施例はこれを限定しない。
【００２６】
本明細書で、「システム」と「ネットワーク」という用語はしばしば互換的に使用されることを理解されたい。本明細書で使用される「及び／又は」という用語は、関連対象の関連関係を説明するだけであり、３種類の関係があり得ることを示す。例えば、Ａ及び/又はＢは、Ａが単独で存在する、ＡとＢが同時に存在する、Ｂが単独で存在する３つのケースを示すことができる。また、本明細書で使用される「／」の表記は、一般的に、この表記の前後の関連対象が「又は」の関係にあることを示す。
【００２７】
ランダムアクセステクノロジーは、モバイル通信システムでユーザーがネットワークと通信するための主要なコンテンツである。無線セルラーネットワークでは、ユーザーはランダムアクセス手順を介してネットワーク側への接続要求を開始する。ＬＴＥシステムでは、ランダムアクセスの主な目的は、上り同期を確立し、必要なセル無線ネットワーク一時識別子（Cell Radio Network Temporary Identifier,Ｃ−ＲＮＴＩ）を受信することである。従って、ランダムアクセスは、初期アクセスだけでなく、ユーザーの上り同期が失われた場合にも適用される。
【００２８】
５Ｇなどの将来の無線通信システムでは、ランダムアクセスのトリガー条件には次のいくつかが含まれることができる。
１．初期無線リソース制御（Radio Resource Control,ＲＲＣ）接続の確立：端末デバイスがアイドル状態から接続状態に移行すると、端末デバイスはランダムアクセスを開始する。
２．ＲＲＣ接続の再確立：無線リンクが失敗した後、端末デバイスがＲＲＣ接続を再確立する必要がある場合、ＵＥはランダムアクセスを開始する。
３．端末デバイスがハンドオーバーを実行すると、端末デバイスはターゲットセルでランダムアクセスを開始する。
４．下りデータが到着したとき：端末デバイスが接続状態にあり、ネットワークデバイスには端末デバイスに送信する必要のある下りデータがあるが、端末デバイスが上り同期外れ状態にあることに気付いたとき（ネットワークデバイスは上りタイマーを維持し、上りタイマーが期限切れになり、ネットワークデバイスが端末デバイスからサウンディング（sounding）信号を受信しない場合、ネットワークデバイスは、端末デバイスが上り同期外れ状態にあると見なす）、ネットワークデバイスは端末デバイスがランダムアクセスを開始するように制御する。
５．上りデータが到着したとき：端末デバイスが接続状態にあり、端末デバイスにはネットワークデバイスに送信する必要のある上りデータがあるが、自体が上り同期外れ状態にあることに気付いたとき（ネットワークデバイスは上りタイマーを維持し、上りタイマーが期限切れになり、端末デバイスがネットワークデバイスからタイミングアドバンス（time advance,ＴＡ）を調整するコマンドを受信しなかった場合、端末デバイスは自体が上り同期外れにあると見なす）、端末デバイスはランダムアクセスを開始する。
６．端末デバイスが接続状態にあり、位置決めにＴＡが必要な場合、端末デバイスはランダムアクセスを開始する。
【００２９】
理解を容易にするために、４段階のランダムアクセス手順を図２と併せて以下に簡単に紹介する。図２に示すように、主に次の内容が含まれている。
【００３０】
１．端末デバイスは、ネットワークデバイスへＭＳＧ１、即ちプリアンブル（preamble）を送信する。主な目的は、ネットワークデバイスが端末デバイスの伝送遅延を正しく推定し、複数の端末デバイスが同時にアクセス要求を開始するときの競合の問題を解決できることである。
【００３１】
２．ネットワークデバイスは、端末デバイスへＭＳＧ２、即ちランダムアクセス応答（Random Access Response,ＲＡＲ）を送信する。１つのＲＡＲには、プリアンブルを送信した複数のユーザーへの応答メッセージを含めることができ、各ユーザーへの応答メッセージには、該当するユーザーが採用するランダムアクセスプリアンブルインデックス（Random Access preamble IDentity,ＲＡＰＩＤ）、ＭＳＧ３のリソース割り当て情報、ＴＡ調整情報、ＴＣ−ＲＮＴＩなどが含まれる。ＲＡＲは、スケジューリングに下り制御情報（Download Control Information,ＤＣＩ）フォーマット１−０を使用する。また、対応する物理下り制御チャネル（Physical Downlink Control Channel,ＰＤＣＣＨ）は、ランダムアクセス無線ネットワーク一時識別子（Random Access RNTI,ＲＡ−ＲＮＴＩ）でスクランブルされる。
端末デバイスは、ＲＡ−ＲＮＴＩを使用してＭＳＧ２をデスクランブルする。当該ＲＡ−ＲＮＴＩの生成式は次のとおりである。
【００３２】
RA-RNTI=1+s_id+14×t_id+14×80×f_id+14×80×8×ul_carrier_id  （式１）
ただし、s_idは、プリアンブルを送信する物理ランダムアクセスチャネル（Physical Random Access Channel,ＰＲＡＣＨ）リソースの最初の直交周波数分割多重（Orthogonal Frequency Division Multiplexing,ＯＦＤＭ）シンボル（0≦s_id<symbol_number）であり、t_idは、プリアンブルを送信するＰＲＡＣＨリソースの最初のスロット（slot）のインデックス（0≦t_id<slot_number）であり、f_idは周波数領域でのＰＲＡＣＨリソースの番号（0≦f_id<frequency_number）であり、ul_carrier_idはプリアンブルの送信に使用される上りキャリア（値０は通常の上りキャリアを表し、値１はシングル上りキャリアを表す）を示す。ここで、symbol_numberは、ランダムアクセスで使用されるＰＲＡＣＨ機会（occasion）の開始シンボルの可能なインデックス数の合計であり、slot_numberは、ランダムアクセスで使用されるＰＲＡＣＨ機会が配置されているスロットの最初のスロットインデックスの合計のインデックス数であり、frequency_numberは、ランダムアクセスに使用されるＰＲＡＣＨ機会の合計の周波数領域インデックスの数である。
【００３３】
３．端末機器はＭＳＧ３を送信し、ＭＳＧ３には端末デバイスの識別子であるＣ−ＲＮＴＩが含まれることができる。
【００３４】
上り伝送では通常、Ｃ−ＲＮＴＩなどの端末機器固有の情報を使用してデータ部分をスクランブルする。ただし、現時点では競合は解決されておらず、スクランブリングはＣ−ＲＮＴＩに基づくことができず、ＴＣ−ＲＮＴＩのみを使用できる。つまり、ＭＳＧ３におけるデータチャネルは、ＴＣ−ＲＮＴＩによって生成されたスクランブルコードに基づいてのみスクランブルされる。
【００３５】
具体的に、スクランブリングコード生成器の初期値
2021532654.tif 000003
は次のとおりである。
【数１】
2021532654.tif 000004
ただし、
2021532654.tif 000005
、ＭＳＧ３の最初送信と再送信に対応し、ＴＣ−ＲＮＴＩが上位層によって割り当てられている場合、
2021532654.tif 000006
はＴＣ−ＲＮＴＩであり、それ以外の場合、
2021532654.tif 000007
はＣ−ＲＮＴＩである。
【００３６】
４．ネットワークは端末デバイスへＭＳＧ４を送信して、競合解決情報を端末デバイス端末にフィードバックする。これまでのところ、ランダムアクセス手順は、複数の端末デバイスが同時にシステムへのアクセスを要求することによって引き起こされる競合の問題を完全に解決する。
【００３７】
図３は、本出願の実施例に係るランダムアクセスの方法２００の概略ブロック図を示す。図３に示されるように、この方法２００は、図１における端末デバイス又はネットワークデバイスによって実行され、この方法２００は、以下の内容のいくつか又はすべてを含む。
【００３８】
Ｓ２１０において、第１のランダムアクセスプリアンブルインデックス及び/又は第１の同期信号ブロックインデックスに従って、第１のスクランブリングシーケンスを決定する。
【００３９】
Ｓ２２０において、前記第１のスクランブリングシーケンスに従って、ランダムアクセス手順の第１のメッセージにおけるデータチャネルに対して第１のスクランブル／デスクランブル処理を実行し、前記第１のスクランブル／デスクランブル処理には、前記データチャネル上の符号化された情報ビットに対して実行されるスクランブル又はデスクランブルが含まれる。
【００４０】
ランダムアクセス手順の時間遅延を短縮するために、４段階のランダムアクセス手順を圧縮することが考えられる。例えば、新しい第１のメッセージ（ＭＳＧ１）には、プリアンブルと上りデータ部分（例えば、データチャネルによって運ぶ）を含めることができる。ここで、上りデータ部分は、ＵＥの識別情報およびＲＲＣ要求の原因（即ち、既存のＭＳＧ３の内容）を運ぶことができる。新しいＭＳＧ１は、プリアンブルに加えて上りデータ部分を運ぶので、上りデータ部分は、物理上り共有チャネル（Physical Uplink Shared Channel,ＰＵＳＣＨ）などのデータチャネルによって運ばれる可能性がある。よって、端末デバイスの場合、当該第１のメッセージにおけるデータチャネルをスクランブルする必要があり、ネットワークデバイス場合、当該第１のメッセージにおけるデータチャネルをデスクランブルする必要がある。
【００４１】
通常、当該データチャネル上の情報ビットは元のビットが符号化された後に取得されたビットであり、スクランブルしてから第１のメッセージによって運ばれ、ＵＥによってネットワークデバイスに送信されることを理解されたい。又は、まずネットワークデバイスによりデスクランブルを実行し、次にデスクランブルされたデータチャネル上の情報ビットをデコードした場合のみ、元のビットを取得できる。つまり、第１のメッセージにおけるデータチャネルに対してスクランブル／デスクランブル処理を実行することは、データチャネル上の符号化された情報ビットに対してスクランブル又はデスクランブルを実行することを意味する。
【００４２】
具体的には、ネットワーク側の無線リソース制御（Radio Resource Control,ＲＲＣ）は、プリアンブルのインデックス値の一部又は全部を競合ベースのランダムアクセスのために割り当て、システム情報を介してＵＥにブロードキャストする。ＰＲＡＣＨの数と時間周波数位置などのＵＥによるランダムアクセスに必要なＰＲＡＣＨリソースも、システムメッセージを介してＲＲＣによってＵＥにブロードキャストされる。ＵＥ側のＲＲＣは、システムメッセージを受信した後、その中のプリアンブル情報を解析してメディアアクセス制御（Media Access Control,ＭＡＣ）に設定する。ＭＡＣはパスロスなどの情報に従って、プリアンブルセットからランダムに一つのＲＡＰＩＤを選択して物理層に設定する。物理層は、ＭＡＣによって選択されたＲＡＰＩＤに従って、テーブルの検索/数式を通じて有効なプリアンブルを生成する。ＵＥは、選択されたＲＡＰＩＤに基づいて一つのスクランブリングシーケンスを決定し、当該スクランブリングシーケンスに従って前記データチャネルをスクランブルしてもよい。さらに、ＵＥは当該第１のメッセージをネットワークに送信することができ、当該第１のメッセージには生成されたプリアンブルとスクランブルされたデータチャネルが運ばれている。ネットワーク側にとって、ＵＥから送信された第１のメッセージを受信した後、ネットワークデバイスは当該ＵＥによって選択されたＲＡＰＩＤを第１のメッセージから取得することができる。同様に、ネットワークデバイスは、取得したＲＡＰＩＤに基づいて一つのスクランブリングシーケンス（当該スクランブリングシーケンスは、ＵＥによって決定されたスクランブリングシーケンスは同じであってよい）を決定することができ、当該スクランブリングシーケンスに従って第１のメッセージで運ばれるデータチャネルに対してデスクランブルを実行する。
【００４３】
オプションとして、ＵＥは、ネットワークデバイスによって送信された同期信号ブロック（Synchronization Signal/Physical Broadcast Channel,Block,ＳＳＢ）のインデックスに基づいて一つのスクランブリングシーケンスを決定し、当該スクランブリングシーケンスに従って前記データチャネルをスクランブルすることもできる。さらに、ＵＥは当該第１のメッセージをネットワークに送信でき、当該第１のメッセージには生成されたプリアンブルとスクランブルされたデータチャネルが運ばれている。同様に、ネットワーク側にとって、ネットワークデバイスは、ＵＥから送信された第１のメッセージを受信した後、第１のメッセージからＵＥによって選択されたＲＡＰＩＤを取得でき、当該ＵＥの情報を取得することもできる。ＵＥの情報として、例えば、ＲＡＰＩＤとＳＳＢインデックスとの間にマッピング関係があり、ネットワークがＵＥによって選択されたＲＡＰＩＤを取得すると、ネットワークによって当該ＵＥに送信されたＳＳＢのインデックスを知ることができるため、当該ＳＳＢのインデックスに基づいて一つのスクランブリングシーケンス（当該スクランブリングシーケンスとＵＥによって決定されたスクランブリングシーケンスは同じである）を決定でき、且つ当該スクランブリングシーケンスに従って第１のメッセージで運ばれるデータチャネルをデスクランブルする。
【００４４】
従って、本出願の実施例におけるランダムアクセスの方法は、ランダムアクセス手順の第１のメッセージでデータチャネルを運ぶことができ、端末デバイスによって取得されるランダムアクセスプリアンブルインデックス及び／又は同期信号ブロックインデックスによって生成されたスクランブリングシーケンスに基づいて、当該データチャネルに対してスクランブリング／デスクランブルを実行することができる。これにより、端末デバイスは、プリアンブルシーケンス（preamble）が送信された後の情報を第１のメッセージに入れて、第１のメッセージとともにネットワークデバイスに送信され得るので、ランダムアクセス手順の遅延を短縮するのに役立つ。
【００４５】
本出願の実施例で提案された方法は、４段階のランダムアクセス手順における第３のメッセージ、即ちＭＳＧ３に直接適用され得ることに留意されたい。つまり、４段階のランダムアクセス手順では、ネットワークデバイスはＴＣ−ＲＮＴＩを端末デバイスに割り当てる必要はないので、ＭＳＧ３はＴＣ−ＲＮＴＩによって生成されたスクランブリングシーケンスに基づいてスクランブルする必要がなく、ＲＡＰＩＤ及び/又はＳＳＢインデックスによって生成されたスクランブリングシーケンスに基づいてスクランブルする。
【００４６】
オプションとして、本出願の実施例において、前記第１のランダムアクセスプリアンブルインデックス及び／又は第１の同期信号ブロックインデックスに従って第１のスクランブリングシーケンスを決定することは、前記第１のランダムアクセスプリアンブルインデックス及び／又は第１の同期信号ブロックインデックスに従って第１のランダムアクセス無線ネットワーク一時識別子（ＲＡ−ＲＮＴＩ）を生成することと、前記第１のＲＡ−ＲＮＴＩに従って第１のスクランブリングシーケンスを生成することを含む。
【００４７】
ＲＡＰＩＤを例にとると、ＵＥは選択されたＲＡＰＩＤに基づいて、まず一つのＲＡ−ＲＮＴＩを生成し、次にＲＡ−ＲＮＴＩに基づいてスクランブリングシーケンスを生成し、それによって第１のメッセージにおけるデータチャネルをスクランブルし得る。例えば、ＵＥは式1に独立変数ＲＡＰＩＤを直接増やすことで、ＲＡ−ＲＮＴＩを取得できる。つまり、式1は次のように変換される。
【００４８】
RA-RNTI=1+RAP_id+s_id+14×t_id+14×80×f_id+14×80×8×ul_carrier_id。
【００４９】
ただし、RAP_idはＲＡＰＩＤである。又は、ＵＥは直接にRA-RNTI=1+RAP_idに従ってＲＡ−ＲＮＴＩを生成してもよい。又は、ＵＥは1+RAP_idにオフセットを追加してＲＡ−ＲＮＴＩを生成してもよい。又は、ＵＥは、直接ＲＡＰＩＤに対して数学演算（例えば、ＲＡＰＩＤの倍数）を実行することにより、ＲＡ−ＲＮＴＩを生成してもよい。又は、ＵＥは、選択されたＲＡＰＩＤ及びＲＡＰＩＤとＲＡ−ＲＮＴＩとの間のマッピング関係に基づいて一つのＲＡ−ＲＮＴＩを決定してもよい。つまり、ＲＡＰＩＤとＲＡ−ＲＮＴＩのマッピング関係についてプロトコルで事前に合意するか、ネットワークで事前に設定することができ、ＵＥが一つのＲＡＰＩＤを選択した後、当該マッピング関係に基づいて直接一つのＲＡ−ＲＮＴＩを決定することができる。ＵＥが選択されたＲＡＰＩＤに基づいて一つのＲＡ−ＲＮＴＩを生成した後、一つのスクランブリングシーケンスがさらに生成され得、当該スクランブリングシーケンスは、例えば式２によって生成されることができる。ここで、
2021532654.tif 000008
は生成されたＲＡ−ＲＮＴＩである。同様に、ネットワークデバイスは、第１のメッセージから取得したＲＡＰＩＤに基づいて一つのＲＡ−ＲＮＴＩを生成してから、ＲＡ−ＲＮＴＩに基づいてスクランブリングシーケンスを生成し、それによって第１のメッセージにおけるデータチャネルをデスクランブルすることができる。
【００５０】
さらに、当該第１のランダムアクセスプリアンブルインデックス及び／又は第１の同期信号ブロックインデックスに従って第１のＲＡ−ＲＮＴＩを生成することは、当該第１のランダムアクセスプリアンブルインデックス及び／又は第１の同期信号ブロックインデックスとプリアンブルを送信する物理ランダムアクセスチャネル（ＰＲＡＣＨ）リソースの情報に従って、当該第１のＲＡ−ＲＮＴＩを生成することを含む。オプションとして、当該ＰＲＡＣＨリソースの情報には、プリアンブルを送信するＰＲＡＣＨリソースの最初の直交周波数分割多重（ＯＦＤＭ）シンボル、及びプリアンブルを送信するＰＲＡＣＨリソースの最初のスロットのインデックス、プリアンブルを送信するＰＲＡＣＨリソースの周波数領域での番号、及びプリアンブルの送信に使用される上りキャリアという情報のうちの少なくとも1つが含まれる。
【００５１】
ＲＡＰＩＤを例にとると、ＲＡ−ＲＮＴＩは次の式で生成できる。
【００５２】
RA-RNTI=1+RAP_id+preamble_number×s_id+preamble_number×symbol_number×t_id+preamble_number×symbol_number×slot_number×f_id+preamble_number×symbol_number×slot_number×frequency_number×ul_carrier_id（式３）。
【００５３】
ただし、RAP_idは端末デバイスによって送信されるランダムアクセスプリアンブルのプリアンブルインデックスで、0≦RAP_id<preamble_numberであり、s_idは、プリアンブルを送信するＰＲＡＣＨリソースの最初のＯＦＤＭシンボル（0≦s_id<symbol_number）であり、t_idは、プリアンブルを送信するＰＲＡＣＨリソースの最初のスロットのインデックス（0≦t_id<slot_number）であり、f_idは周波数領域での前記ＰＲＡＣＨリソースの番号（0≦f_id<frequency_number）であり、ul_carrier_idはプリアンブルの送信に使用される上りキャリア（carrier）（値０は通常の上りキャリアを表し、値１はシングル上りキャリアを表す）を示す。
【００５４】
そして、preamble_numberは一つのＰＲＡＣＨ機会（occasion）にランダムアクセスで使用されるプリアンブルの総数である。symbol_numberは、ランダムアクセスで使用されるＰＲＡＣＨ機会の開始シンボルの可能なインデックス数の合計であり、slot_numberは、ランダムアクセスで使用されるＰＲＡＣＨ機会が配置されているスロットの最初のスロットインデックスの合計のインデックス数であり、frequency_numberは、ランダムアクセスに使用されるＰＲＡＣＨ機会の合計の周波数領域インデックスの数である。
【００５５】
オプションとして、本出願の実施例におけるランダムアクセス手順は、２段階のランダムアクセス手順であってよい。つまり、４段階のランダムアクセス手順でのＭＳＧ１とＭＳＧ３が第１のメッセージとして端末によりネットワークに送信され、４段階のランダムアクセス手順でのＭＳＧ２とＭＳＧ４が第２のメッセージとしてネットワークから端末に送信される。当該第１のメッセージはプリアンブルとデータチャネルを含み得、当該第２のメッセージはＲＡＲメッセージ、競合解決情報（競合で生成された端末デバイスの一意の識別子を含む）、ＴＡ調整情報、Ｃ−ＲＮＴＩなどを含み得る。当該第２のメッセージには、４段階のランダムアクセス手順におけるＭＳＧ２及びＭＳＧ４により運ばれるそれぞれの部分的な情報のコレクションが含まれる。２段階のランダムアクセス手順はまだ標準化段階に入っていないため、ここに示されているのは単なる例であり、前記手順におけるメッセージの具体的な定義に対する制限を表すものではない。すべての２段階ランダムアクセス手順の定義は、この方法に適用できる。
【００５６】
当該ランダムアクセス手順が２段階のランダムアクセス手順である場合、preamble_numberは、一つのＰＲＡＣＨ機会（occasion）に２段階のランダムアクセスで使用されるプリアンブルの総数である。symbol_numberは、２段階のランダムアクセスで使用されるＰＲＡＣＨ機会の開始シンボルの可能なインデックス数の合計であり、slot_numberは、２段階のランダムアクセスで使用されるＰＲＡＣＨ機会が配置されているスロットの最初のスロットインデックスの合計のインデックス数であり、frequency_numberは、２段階のランダムアクセスで使用されるＰＲＡＣＨ機会の合計の周波数領域インデックスの数である。
【００５７】
なお、上記の式３は単なる例であり、式３がプリアンブルインデックス、即ちＲＡＰＩＤに関連されている限り、式３のいかなる変形も本出願の実施例の保護範囲内にあることに留意されたい。例えば、当該ＲＡ−ＲＮＴＩは次の式で生成することができる。
【００５８】
RA-RNTI=1+RAP_id+preamble_number×s_id+preamble_number×symbol_number×t_id+preamble_number×symbol_number×slot_number× f_id。
【００５９】
式3でpreamble_number = 64、symbol_number = 14、slot_number = 80、frequency_number = 8の場合、次のように変更できる。
【００６０】
RA-RNTI=1+RAPID+64×s_id+64×14×t_id+64×14×80×f_id+64×14×80×8×ul_carrier_id。
【００６１】
勿論、上記のpreamble_number、symbol_number、slot_number、frequency_numberは他の値を取ってもよく、これらの値のすべて又は一部は、ネットワークデバイスによって端末に設定されるか、プロトコルで事前に合意されるか、又はその両方である。
【００６２】
ＳＳＢインデックスを例にとると、ＲＡ−ＲＮＴＩは、次の式で具体的に生成することもできる。
【００６３】
RA-RNTI=1+SSB_id+SSB_number×s_id+SSB_number×symbol_number×t_id+SSB_number×symbol_number×slot_number×f_id+SSB_number×symbol_number×slot_number×frequency_number×ul_carrier_id（式４）。
【００６４】
ただし、SSB_idは端末デバイスが受信したネットワークデバイスにより送信されるＳＳＢインデックスで、0≦SSB_id<SSB_numberであり、SSB_numberは一つのＳＳＢクラスターセット（バーストセット）内のＳＳＢの総数である。s_idは、プリアンブルを送信するＰＲＡＣＨリソースの最初のＯＦＤＭシンボル（0≦s_id<symbol_number）であり、t_idは、プリアンブルを送信するＰＲＡＣＨリソースの最初のスロットのインデックス（0≦t_id<slot_number）であり、f_idは周波数領域での前記ＰＲＡＣＨリソースの番号（0≦f_id<frequency_number）であり、ul_carrier_idはプリアンブルの送信に使用される上りキャリア（carrier）（値０は通常の上りキャリアを表し、値１はシングル上りキャリアを表す）を示す。symbol_numberは、ランダムアクセスで使用されるＰＲＡＣＨ機会（occasion）の開始シンボルの可能なインデックス数の合計であり、slot_numberは、ランダムアクセスで使用されるＰＲＡＣＨ機会が配置されているスロットの最初のスロットインデックスの合計のインデックス数であり、frequency_numberは、ランダムアクセスに使用されるＰＲＡＣＨ機会の合計の周波数領域インデックスの数である。
【００６５】
オプションとして、ＵＥは、直接1 + SSB_idに従ってＲＡ−ＲＮＴＩを生成してもよく、又は1 + SSB_idにオフセットを追加してＲＡ−ＲＮＴＩを生成してもよい。ＳＳＢインデックスに従ってＲＡ−ＲＮＴＩを生成することは、ＲＡＰＩＤに従ってＲＡ−ＲＮＴＩを生成することを参照できる。簡潔にするために、ここで繰り返さない。
【００６６】
オプションとして、本出願の実施例において、当該ＲＡ−ＲＮＴＩの生成は、ＲＡＰＩＤ及び／又はＳＳＢインデックスに関連されなくてもよく、プリアンブルを送信する物理的ランダムアクセスチャネル（ＰＲＡＣＨ）リソースの情報にのみに関連すればよい。例えば、式1を使用して当該ＲＡ−ＲＮＴＩを生成できる。
【００６７】
オプションとして、本出願の実施例において、当該第１のランダムアクセスプリアンブルインデックス及び／又は第１の同期信号ブロックインデックスに従って第１のスクランブリングシーケンスを決定することは、当該第１のランダムアクセスプリアンブルインデックス、及びプリアンブルインデックスとスクランブリングシーケンスとの間のマッピング関係に従って、及び/又は、第１の同期信号ブロックインデックス、及び同期信号ブロックインデックスとスクランブリングシーケンスとの間のマッピング関係に従って、スクランブリングシーケンスセットから当該第１のスクランブリングシーケンスを決定することを含む。
【００６８】
つまり、ＲＡＰＩＤとスクランブリングシーケンスセットとの間のマッピング関係をプロトコルで事前に合意したり、ネットワークデバイスで事前に構成したりすることができる。例えば、合計で０〜６３個のＲＡＰＩＤがあると仮定すると、ＲＡＰＩＤ＝０はスクランブリングシーケンス０に対応し、ＲＡＰＩＤ＝１はスクランブリングシーケンス１に対応し、ＲＡＰＩＤ＝２はスクランブリングシーケンス２に対応し、... ＲＡＰＩＤ＝６３はスクランブリングシーケンス６３に対応するように合意又は構成できる。ＵＥ又はネットワークデバイスは、ＲＡＰＩＤとスクランブリングシーケンスセットにおけるスクランブリングシーケンスとの対応関係を事前に取得することができ、さらに、ＵＥは選択されたＲＡＰＩＤに基づいて対応するスクランブリングシーケンスを決定するか、ネットワークデバイスはＭＳＧ１内のＲＡＰＩＤに基づいてスクランブリングシーケンスセットから対応するスクランブリングシーケンスを決定することができる。
【００６９】
本出願の実施例におけるランダムアクセス手順は、２段階のランダムアクセス手順であり得る。オプションとして、本出願の実施例では、ネットワークデバイスが第１のメッセージをデスクランブルした後、ネットワークデバイスはまた、生成されたＲＡ−ＲＮＴＩに基づいてランダムアクセス手順において第２のメッセージをスケジュールするための制御チャネル、例えば物理下り制御チャネル（Physical Downlink Control Channel,ＰＤＣＣＨ）をスクランブルし得る。同様に、端末デバイスの場合、端末デバイスが第１のメッセージをネットワークデバイスに送信した後、端末デバイスは、生成されたＲＡ−ＲＮＴＩに基づいてランダムアクセス手順で第２のメッセージをスケジュールするための制御チャネルをデスクランブルすることもできる。
【００７０】
オプションとして、制御チャネルに対するスクランブル／デスクランブル処理は、前記制御チャネルの巡回冗長検査（ＣＲＣ）ビットに対するスクランブル又はデスクランブルをさらに含み得る。
【００７１】
各セルには複数の使用可能なプリアンブルがある場合があるため、各端末デバイスはランダムアクセス用にそれらの1つを選択し、選択したプリアンブルをＰＲＡＣＨを介して送信できる。４段階のランダムアクセス手順では、ＭＳＧ２は最大で複数の端末デバイスのＲＡＲメッセージを運ぶことができる。２段階のランダムアクセス手順では、第２のメッセージに４段階のランダムアクセス手順のＭＳＧ２とＭＳＧ４内の情報を含めることができるため、第２のメッセージにやはり複数の端末デバイスの応答メッセージが運ばれていると、リソースのオーバーヘッドが非常に大きくなり、端末デバイスの受信の複雑さが増す。そうしなければ、メッセージの送信がセル全体をカバーできなくなる可能性がある。従って、２段階のランダムアクセス手順では、第２のメッセージは1つの端末デバイスについてのＲＡＲメッセージを運ぶことができる。このとき、４段階のランダムアクセス手順でＲＡ−ＲＮＴＩを生成する方法を引き続いて利用する場合、複数の端末デバイスが同じＰＲＡＣＨリソースを使用してそれぞれのプリアンブルを送信すると、ＰＲＡＣＨのリソース情報に基づいて決定されるＲＡ−ＲＮＴＩも同じであり、ネットワークデバイスがこれらの端末デバイスのそれぞれに応答する異なる第２のメッセージを区別することはできない。
【００７２】
従って、本出願の実施例は、ネットワークデバイス及び端末デバイスが、ＲＡＰＩＤ又は同期信号ブロック（Synchronous Signal Block，ＳＳＢ又はＳＳブロック）インデックスに基づいてＲＡ−ＲＮＴを生成し、当該ＲＡ−ＲＮＴを使用して２段階のランダムアクセス手順で第２のメッセージのスケジューリングに使用される制御チャネルに対してスクランブル又はデスクランブルすることを提案する。異なる端末デバイスでは、選択されたＲＡＰＩＤと対応するＳＳＢインデックスが異なる場合があるため、ランダムアクセスに異なるプリアンブルを使用する端末デバイスについて生成された当該制御チャネルのスクランブル又はデスクランブル用のＲＡ−ＲＮＴＩも異なる場合があり、それにより、ネットワークデバイスが異なる端末デバイスに応答する当該第２のメッセージを識別でき、２段階のランダムアクセス手順における第２のメッセージの効果的な送信が実現される。
【００７３】
なお、端末デバイスがＲＡ−ＲＮＴＩによって生成されたスクランブリングシーケンスを使用して第１のメッセージ内のデータチャネルをスクランブルする場合、端末デバイスは直接当該ＲＡ−ＲＮＴＩを使用して第２のメッセージをスケジュールするための制御チャネルをデスクランブルすることができ、ここで、当該ＲＡ−ＲＮＴＩはＲＡＰＩＤ及び/又はＳＳＢインデックスに基づいて生成されてよい。端末デバイスが、マッピング関係から取得したスクランブリングシーケンスを使用して第１のメッセージ内のデータチャネルをスクランブルする場合、端末デバイスは、ＲＡＰＩＤ及び/又はＳＳＢインデックスに基づいてＲＡ−ＲＮＴＩを生成する必要もあり、次に生成されたＲＡ−ＲＮＴＩを使用して第２のメッセージをスケジュールするための制御チャネルをデスクランブルする。同様に、ネットワークデバイスがＲＡ−ＲＮＴＩによって生成されたスクランブリングシーケンスを使用して第１のメッセージ内のデータチャネルをデスクランブルする場合、ネットワークデバイスは直接当該ＲＡ−ＲＮＴＩを使用して第２のメッセージをスケジュールするための制御チャネルをスクランブルすることができ、ここで、当該ＲＡ−ＲＮＴＩはＲＡＰＩＤ及び/又はＳＳＢインデックスに基づいて生成されてよい。ネットワークデバイスが、マッピング関係から取得したスクランブリングシーケンスを使用して第１のメッセージ内のデータチャネルをデスクランブルする場合、ネットワークデバイスは、ＲＡＰＩＤ及び/又はＳＳＢインデックスに基づいてＲＡ−ＲＮＴＩを生成する必要もあり、次に生成されたＲＡ−ＲＮＴＩを使用して第２のメッセージをスケジュールするための制御チャネルをスクランブルする。
【００７４】
オプションとして、本出願の実施例において、第２のメッセージをスケジュールするための制御チャネルのスクランブル又はデスクランブルは、４段階のランダムアクセス手順で生成されたＲＡ−ＲＮＴＩを使用でき、第２のメッセージで運ばれる端末デバイスの識別情報、例えばＲＡＰＩＤによって異なる端末を区別できる。
【００７５】
オプションとして、本出願の実施例では、第１のメッセージで運ばれるプリアンブルシーケンスとデータチャネルとの間にマッピング関係がある。つまり、ネットワークデバイスは、第１のメッセージにおけるプリアンブルシーケンスを取得すると、それに対応するデータチャネルの情報、例えばリソース位置を決定できる。
【００７６】
本出願の実施例で提供される方法２００は、端末装置によって実行されてよく、ネットワーク装置によって実行されてもよいことを理解されたい。端末装置は、第１のメッセージ内のデータチャネルをスクランブルし、かつ第１のメッセージをネットワークデバイスに送信する。ネットワークデバイスは、第１のメッセージ内のデータチャネルをデスクランブルしてから、第２のメッセージのスケジュールに使用される制御チャネルをスクランブルし、且つ第２のメッセージを端末デバイスに送信する。端末デバイスは第２のメッセージを受信した後、第２のメッセージのスケジュールに使用される制御チャネルをデスクランブルする。
【００７７】
本出願の様々な実施例において、上記各手順のシーケンス番号は実行の順序を意味するものではなく、各手順の実行順序は、その機能及び内部論理によって決定されるべきであり、本出願の実施例の実施手順に対するいかなる制限を構成するものとして解釈されるべきではないことを理解されたい。
【００７８】
本出願の実施例によるランダムアクセス方法は、上記で詳細に記載されており、本出願の実施例によるランダムアクセスの装置について、図４から図５を参照して以下で説明される。方法実施例に記載の技術的特徴は、以下の装置実施例に適用可能である。
【００７９】
図４は、本出願の実施例による通信デバイス３００の概略ブロック図を示す。図４に示されるように、当該通信デバイス３００は、処理ユニット３１０を含む。
【００８０】
処理ユニット３１０は、第１のランダムアクセスプリアンブルインデックス及び／又は第１の同期信号ブロックインデックスに従って第１のスクランブリングシーケンスを決定し、前記第１のスクランブリングシーケンスに従って、ランダムアクセス手順での第１のメッセージ内のデータチャネルに対して第１のスクランブル／デスクランブル処理を実行するように構成され、前記第１のスクランブル／デスクランブル処理には、前記データチャネル上の符号化された情報ビットに対して実行されるスクランブル又はデスクランブルが含まれる。
【００８１】
オプションとして、本出願の実施例において、前記処理ユニットは、前記第１のランダムアクセスプリアンブルインデックス及び／又は第１の同期信号ブロックインデックスに従って第１のランダムアクセス無線ネットワーク一時識別子（ＲＡ−ＲＮＴＩ）を生成し、前記第１のＲＡ−ＲＮＴＩに従って前記第１のスクランブリングシーケンスを生成するように構成される。
【００８２】
オプションとして、本出願の実施例において、前記処理ユニットが前記第１のランダムアクセスプリアンブルインデックス及び／又は第１の同期信号ブロックインデックスに従って第１のＲＡ−ＲＮＴＩを生成することは、前記第１のランダムアクセスプリアンブルインデックス及び／又は第１の同期信号ブロックインデックスとプリアンブルを送信する物理ランダムアクセスチャネル（ＰＲＡＣＨ）リソースの情報に従って、前記第１のＲＡ−ＲＮＴＩを生成することを含む。
【００８３】
オプションとして、本出願の実施例において、前記ＰＲＡＣＨリソースの情報には、プリアンブルを送信するＰＲＡＣＨリソースの最初の直交周波数分割多重（ＯＦＤＭ）シンボル、及びプリアンブルを送信するＰＲＡＣＨリソースの最初のスロットのインデックス、プリアンブルを送信するＰＲＡＣＨリソースの周波数領域での番号、及びプリアンブルの送信に使用される上りキャリアという情報のうちの少なくとも1つが含まれる。
【００８４】
オプションとして、本出願の実施例において、前記処理ユニットは、前記第１のランダムアクセスプリアンブルインデックス、及びプリアンブルインデックスとスクランブリングシーケンスとの間のマッピング関係に従って、及び/又は、前記第１の同期信号ブロックインデックス、及び同期信号ブロックインデックスとスクランブリングシーケンスとの間のマッピング関係に従って、スクランブリングシーケンスセットから前記第１のスクランブリングシーケンスを決定するように構成される。
【００８５】
オプションとして、本出願の実施例において、前記処理ユニットはまた、前記第１のＲＡ−ＲＮＴＩに従って、前記ランダムアクセス手順での第２のメッセージをスケジュールするための制御チャネルに対して第２のスクランブル／デスクランブル処理を実行するように構成される。
【００８６】
オプションとして、本出願の実施例において、前記処理ユニットはまた、前記第１のプリアンブルインデックス及び／又は第１の同期信号ブロックインデックスに従って第１のランダムアクセス無線ネットワーク一時識別子（ＲＡ−ＲＮＴＩ）を生成し、前記第１のＲＡ−ＲＮＴＩに従って前記ランダムアクセス手順での第２のメッセージをスケジュールするための制御チャネルに対して第２のスクランブル／デスクランブル処理を実行するように構成される。
【００８７】
オプションとして、本出願の実施例において、前記第２のスクランブル／デスクランブル処理は、前記制御チャネルの巡回冗長検査（ＣＲＣ）ビットに対して実行されるスクランブル又はデスクランブルを含む。
【００８８】
オプションとして、本出願の実施例において、前記通信デバイスは端末デバイスであり、前記処理ユニットはまた、ランダムアクセスプリアンブルセットから前記第１のランダムアクセスプリアンブルインデックスを決定するように構成される。
【００８９】
オプションとして、本出願の実施例において、前記通信デバイスはネットワークデバイスであり、前記処理ユニットはまた、前記第１のメッセージから前記第１のランダムアクセスプリアンブルインデックスを取得するように構成される。
【００９０】
オプションとして、本出願の実施例において、前記第１のメッセージは、前記第１のランダムアクセスプリアンブルインデックスによって識別されるプリアンブルシーケンスをさらに含み、前記プリアンブルシーケンスと前記データチャネルとの間にマッピング関係がある。
【００９１】
オプションとして、本出願の実施例において、前記ランダムアクセス手順は２段階のランダムアクセス手順である。
【００９２】
本出願の実施例による通信デバイス３００は、本出願の方法実施例を実行するために使用することができ、通信デバイス３００内の各ユニットの上記及び他の操作及び／又は機能は、それぞれ図２の方法における対応するフローを実施するために使用されることを理解されたい。簡潔にするために、ここでは繰り返さない。
【００９３】
図５に示すように、本出願の実施例はさらに通信デバイス４００を提供し、当該通信デバイス４００は図４での通信デバイス３００であってよく、図２の方法２００に対応する通信デバイスの内容を実行するように構成できる。図５に示す通信デバイス４００は、プロセッサ４１０を含み、プロセッサ４１０は、メモリからコンピュータプログラムを呼び出して実行することで、本出願の実施例の方法を実現することができる。
【００９４】
オプションとして、図５に示すように、通信デバイス４００は、メモリ４２０をさらに含むことができる。ここで、プロセッサ４１０は、メモリ４２０からコンピュータプログラムを呼び出して実行実行することで、本出願の実施例の方法を実現することができる。
【００９５】
ここで、メモリ４２０は、プロセッサ４１０から独立した個別のデバイスであってもよく、プロセッサ４１０に集積されてもよい。
【００９６】
オプションとして、図５に示すように、通信デバイス４００はさらに送受信機４３０を含むことができ、プロセッサ４１０は他のデバイスと通信するように当該送受信機４３０を制御することができ、具体的には、他のデバイスに情報又はデータを送信したり、他のデバイスから送信された情報又はデータを受信することができる。
【００９７】
ここで、送受信機４３０は、送信機及び受信機を含み得る。送受信機４３０は、アンテナをさらに含んでもよく、アンテナの数は、１つ以上であってもよい。
【００９８】
オプションとして、当該通信デバイス４００は、本出願の実施例における通信デバイスであってもよく、かつ、当該通信デバイス４００は、本出願の実施例の各方法における通信デバイスによって実行される対応するフローを実装できる。簡潔にするために、ここでは繰り返さない。
【００９９】
一具体的な実施形態では、通信デバイス４００における処理ユニットは、図５のプロセッサ４１０によって実装され得る。通信デバイス４００における送信ユニットは、図５のト送受信機４３０によって実装され得る。
【０１００】
オプションとして、通信デバイス４００は、端末デバイスであってもよく、ネットワークデバイスであってもよい。
【０１０１】
図６は、本出願の実施例のチップの概略構成図である。図６に示すチップ５００は、プロセッサ５１０を含み、プロセッサ５１０は、メモリからコンピュータプログラムを呼び出して実行することで、本出願の実施例の方法を実現することができる。
【０１０２】
オプションとして、図６に示すように、チップ５００はさらにメモリ５２０を含むことができる。ここで、プロセッサ５１０は、メモリ５２０からコンピュータプログラムを呼び出して実行することで、本出願の実施例における方法を実現することができる。
【０１０３】
ここで、メモリ５２０は、プロセッサ５１０から独立した個別のデバイスであってもよく、又はプロセッサ５１０に集積されてもよい。
【０１０４】
オプションとして、上記チップ５００は、入力インターフェース５３０をさらに含むことができる。ここで、プロセッサ５１０は、他のデバイス又はチップと通信するように上記入力インターフェース５３０を制御することができ、具体的には、他のデバイス又はチップによって送信された情報又はデータを取得することができる。
【０１０５】
オプションとして、上記チップ５００は、出力インターフェース５４０をさらに含むことができる。ここで、プロセッサ５１０は、他のデバイス又はチップと通信するように上記出力インターフェース５４０を制御することができ、具体的には、情報又はデータを他のデバイス又はチップに出力することができる。
【０１０６】
オプションとして、上記チップは、本出願の実施例におけるネットワークデバイスに適用されてもよく、かつ、上記チップは、本出願の実施例の各方法におけるネットワークデバイスによって実行される対応するフローを実装できる。簡潔にするために、ここでは繰り返さない。
【０１０７】
オプションとして、上記チップは、本出願の実施例における端末デバイスに適用されてもよく、かつ、上記チップは、本出願の実施例の各方法における端末デバイスによって実行される対応するフローを実装できる。簡潔にするために、ここでは繰り返さない。
【０１０８】
本出願の実施例で言及されるチップは、システムオンチップ、システムチップ、チップシステム、又はシステムオンチップのチップなどと呼ばれ得ることを理解されたい。
【０１０９】
図７は、本出願の実施例によって提供される通信システム６００の概略ブロック図である。図７に示すように、この通信システム６００は、端末デバイス６１０とネットワークデバイス６２０とを含む。
【０１１０】
ここで、上記端末デバイス６１０及びネットワークデバイス６２０は、いずれも上記方法で通信デバイスによって実装される対応する機能を実現するように構成されてもよく、簡潔にするため、ここでは繰り返さない。
【０１１１】
本出願の実施例に係るプロセッサーは、信号処理能力のある集積回路チップであってもよいことを理解されたい。実装の過程では、上記方法の実施例の各ステップは、プロセッサーにおけるハードウェアの集積論理回路又はソフトウェアの形の命令により完了することができる。上記のプロセッサーは、汎用プロセッサー、デジタル信号プロセッサー（Digital Signal Processor，ＤＳＰ）、専用集積回路（Application Specific Integrated Circuit，ＡＳＩＣ）、フィールドプログラマブルゲートアレイ（Field Programmable Gate Array，ＦＰＧＡ）又は他のプログラマブル論理デバイス、ディスクリートゲート又はトランジスタ論理デバイス、ディスクリートハードウェアコンポーネントであってもよい。本出願の実施例において開示された各方法、ステップ、及び論理ブロック図を実現又は実行することができる。汎用プロセッサーはマイクロプロセッサーであってもよく、又は、上記プロセッサーはいずれかの通常のプロセッサー等であってもよい。本出願の実施例に結合して開示された方法のステップは、ハードウェアデコードプロセッサーにより実行されて完了するように直接具現化されるか、又はデコードプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記憶媒体に配置されることができる。上記記憶媒体はメモリに配置され、プロセッサーはメモリ内の情報を読み取り、そのハードウェアと組み合わせて上記の方法のステップを完了する。
【０１１２】
本出願の実施例におけるメモリは、揮発性メモリ又は不揮発性メモリであってもよく、又は揮発性及び不揮発性メモリの両方を含んでもよいことが理解される。ここで、不揮発性メモリは、読み取り専用メモリ（Read-Only Memory，ＲＯＭ）、プログラマブル読み取り専用メモリ（Programmable ROM，ＰＲＯＭ）、消去可能なプログラマブル読み取り専用メモリ（Erasable PROM，ＥＰＲＯＭ）、電気的に消去可能なプログラマブル読み取り専用メモリ（Electrically EPROM，ＥＥＰＲＯＭ）又はフラッシュメモリであってもよい。揮発性メモリは、外部キャッシュとして使用されるランダムアクセスメモリ（Random Access Memory，ＲＡＭ）であってもよい。限定ではなく例として、スタティックランダムアクセスメモリ（Static RAM，ＳＲＡＭ）、ダイナミックランダムアクセスメモリ（Dynamic RAM，ＤＲＡＭ）、同期ダイナミックランダムアクセスメモリ（Synchronous DRAM，ＳＤＲＡＭ）、ダブルデータレート同期ダイナミックランダムアクセスメモリ（Double Data Rate SDRAM，ＤＤＲ  ＳＤＲＡＭ）、拡張同期ダイナミックランダムアクセスメモリ（Enhanced SDRAM，ＥＳＤＲＡＭ）、同期接続ダイナミックランダムアクセスメモリ（Synchlink DRAM，ＳＬＤＲＡＭ）、及びダイレクトメモリバスランダムアクセスメモリ（Direct Rambus RAM，ＤＲ  ＲＡＭ）等の多くの形式のＲＡＭが利用可能である。本明細書で説明されるシステム及び方法のメモリは、これら及び任意の他の適切なタイプのメモリを含むことが意図されているが、これらに限定されないことに留意されたい。
【０１１３】
上記メモリは限定ではなく示例的なものであることを理解されたい。例えば、本願の実施例のメモリは、スタティックランダムアクセスメモリ（Static RAM，ＳＲＡＭ）、ダイナミックランダムアクセスメモリ（Dynamic RAM，ＤＲＡＭ）、同期ダイナミックランダムアクセスメモリ（Synchronous DRAM，ＳＤＲＡＭ）、ダブルデータレート同期ダイナミックランダムアクセスメモリ（Double Data Rate SDRAM，ＤＤＲ  ＳＤＲＡＭ）、拡張同期ダイナミックランダムアクセスメモリ（Enhanced SDRAM，ＥＳＤＲＡＭ）、同期接続ダイナミックランダムアクセスメモリ（Synchlink DRAM，ＳＬＤＲＡＭ）、及びダイレクトメモリバスランダムアクセスメモリ（Direct Rambus RAM，ＤＲ  ＲＡＭ）等であってもよい。つまり、本願の実施例のメモリは、これら及び任意の他の適切なタイプのメモリを含むことが意図されているが、これらに限定されない。
【０１１４】
本出願の実施例はまた、コンピュータプログラムを記憶するためのコンピュータ読取可能な記憶媒体を提供する。
【０１１５】
オプションとして、上記コンピュータ読取可能な記憶媒体は、本出願の実施例におけるネットワークデバイスに適用でき、上記コンピュータプログラムは、本出願の実施例の各方法でネットワークデバイスによって実装される対応するフローをコンピュータに実行させる。簡潔にするため、ここでは繰り返さない。
【０１１６】
オプションとして、上記コンピュータ読取可能な記憶媒体は、本出願の実施例の端末デバイスに適用でき、上記コンピュータプログラムは、本出願の実施例の各方法でモバイル端末／端末デバイスによって実装される対応するフローをコンピュータに実行させる。簡潔にするため、ここでは繰り返さない。
【０１１７】
本出願の実施例はまた、コンピュータプログラム命令を含むコンピュータプログラム製品を提供する。
【０１１８】
オプションとして、上記コンピュータプログラム製品は、本出願の実施例のネットワークデバイスに適用でき、上記コンピュータプログラム命令は、本出願の実施例の各方法でネットワークデバイスによって実装される対応するフローをコンピュータに実行させる。簡潔にするため、ここでは繰り返さない。
【０１１９】
オプションとして、上記コンピュータプログラム製品は、本出願の実施例の端末デバイスに適用でき、上記コンピュータプログラム命令は、本出願の実施例の各方法でモバイル端末／端末デバイスによって実装される対応するフローをコンピュータに実行させる。簡潔にするため、ここでは繰り返さない。
【０１２０】
本出願の実施例はまた、コンピュータプログラムを提供する。
【０１２１】
オプションとして、上記コンピュータプログラムは、本出願の実施例におけるネットワークデバイスに適用でき、上記コンピュータプログラムがコンピュータ上で実行されると、本出願の実施例の各方法においてネットワークデバイスによって実装される対応するフローをコンピュータに実行させる。簡潔にするため、ここでは繰り返さない。
【０１２２】
オプションとして、上記コンピュータプログラムは、本出願の実施例における端末デバイスに適用でき、上記コンピュータプログラムがコンピュータ上で実行されると、本出願の実施例における各方法で端末デバイスによって実装される対応するフローをコンピュータに実行させる。簡潔にするため、ここでは繰り返さない。
【０１２３】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、解決策の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１２４】
当業者であれば、説明の便宜及び簡潔さのために、上述のシステム、装置、及びユニットの具体的な動作手順については、前述の方法の実施例における対応する手順を参照することができ、ここで繰り返さないことを理解することができる。
【０１２５】
本出願で提供された幾つかの実施例において、開示されたシステム、装置及び方法は、他の方式で実現されてもよいことを理解されたい。例えば、上述のような装置の実施例は、単なる例にすぎず、例えば、上記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットによる間接的な結合又は通信接続は、電気的、機械的、又は他の形態であってもよい。
【０１２６】
前記分離部材として説明されたユニットは、物理的に分離されてもよく、物理的に分離されなくてもよく、ユニットとして示された部材は、物理的なユニットであってもよく、物理的なユニットでなくてもよく、つまり、あるところに位置してもよく、複数のネットワークユニット上に分散されてもよい。実際の需要に応じて、一部又は全部のユニットを選択し、本実施例の解決策の目的を実現することができる。
【０１２７】
なお、本出願の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１２８】
前記機能がソフトウェア機能ユニットの形で実現され、且つ独立した製品として販売又は使用される場合には、１つのコンピュータ読み取り可能な記憶媒体に格納されることができる。このような理解に基づき、本出願の技術手段は本質的に、従来技術に貢献した部分又は前記技術手段の一部がソフトウェア製品の形で具現化されることができ、前記コンピュータソフトウェア製品は、１つの記憶媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。前述の記憶媒体は、ＵＳＢメモリ、モバイルハードディスク、読み取り専用メモリ（Read-Only Memory，ＲＯＭ）、ランダムアクセスメモリ（Random Access Memory，ＲＡＭ）、磁気ディスク、又は光ディスク等のプログラムコードを格納可能な様々な媒体を含む。
【０１２９】
以上は、本出願の好ましい実施例にすぎず、本出願の保護範囲はこれらに限定されない。この技術分野の当業者であれば、いずれも本出願に提示された技術範囲内で、変更又は置き換えを行うことを容易に想到でき、このような変更又は置き換えはいずれも本出願の保護範囲に含まれるべきである。従って、本出願の保護範囲は、請求項の保護範囲に従うべきである。
【図１】
2021532654.tif 000009
【図２】
2021532654.tif 000010
【図３】
2021532654.tif 000011
【図４】
2021532654.tif 000012
【図５】
2021532654.tif 000013
【図６】
2021532654.tif 000014
【図７】
2021532654.tif 000015
【国際調査報告】
2021532654.tif 000016
2021532654.tif 000017
2021532654.tif 000018
2021532654.tif 000019